(57)【要約】【課題】すでに挟み込まれていた保持対象がずれるなどの不具合を生じることなく、スムーズに新しい保持対象を押さえ部に挟み込むことが可能なクリップボードを提供する。【解決手段】ボード部と、該ボード部に回動可能に形成され、ボード部に向かって押圧力を加える押さえ部とを備え、ボード部と、ボード部の一部に形成された貫通部の一辺よりボード部背面側に突出する押さえ部形成部とが樹脂材により一体に成形加工されたベース部材の、前記押さえ部形成部を前記貫通部よりボード部正面側へ押出し変形して前記押さえ部を形成してなるクリップボードであって、前記押さえ部の先端部にボード部側に突出する１又は２以上の突起部を有する。【選択図】  図１
2010137479.tif 000002
【特許請求の範囲】
【請求項１】
ボード部と、該ボード部に回動可能に形成され、ボード部に向かって押圧力を加える押さえ部とを備え、ボード部と、ボード部の一部に形成された貫通部の一辺よりボード部背面側に突出する押さえ部形成部とが樹脂材により一体に成形加工されたベース部材の、前記押さえ部形成部を前記貫通部よりボード部正面側へ押出し変形して前記押さえ部を形成してなるクリップボードであって、前記押さえ部の先端部にボード部側に突出する１又は２以上の突起部を有することを特長とするクリップボード。
【請求項２】
前記突起部が略四角形の板状であることを特長とする請求項１に記載のクリップボード。
【発明の詳細な説明】
【技術分野】
【０００１】
本発明は、紙等の保持対象を押さえ部に挟み込んで保持するクリップボードに関する。
【背景技術】
【０００２】
従来から、板状のボード部の端部に紙等を保持するために押さえ部を形成したクリップボードが広く用いられており、このようなクリップボードは、押さえ部がボード部に向かって押圧力を発揮する構成であり、押さえ部とボード部との間に挟みこんだ紙等の保持対象を、前記押圧力によって保持する。
【０００３】
押さえ部の構成は、金属製の枠体とばねを用いたもの（下記特許文献１参照）など種々の構成がある。図６に、上記のような従来のクリップボードの押さえ部付近の側面拡大図を示す。図６のクリップボードは、ボード部１２の端部に押出変形により押さえ部１３が形成され、ボード部１２と押さえ部１３の先端部の間に保持対象を挟みこんで使用するものである。
【０００４】
一般に、クリップボードは、保持対象を１枚ずつ追加して挟み込んでいく場合、ボード部に沿い、押さえ部に向かって保持対象を滑らせて挟み込むが、押さえ部がボード部に向かって押圧力を発揮する構成の場合、押さえ部の押圧力を緩めて挟み込もうとすると、すでに挟み込まれていた保持対象の保持力が弱くなり、新しい保持対象を滑らせるのに伴って、挟み込まれていた保持対象が動いてしまい、新しい保持対象を十分に押さえ部に挟めない、あるいはすでに挟み込まれていた保持対象がずれるなどの不具合が生じていた。
【０００５】
【特許文献１】特開平１０−２１７６６１
【発明の開示】
【発明が解決しようとする課題】
【０００６】
本発明は、すでに挟み込まれていた保持対象がずれるなどの不具合を生じることなく、スムーズに新しい保持対象を押さえ部に挟み込むことが可能なクリップボードの提供を目的とする。
【課題を解決するための手段】
【０００７】
本発明は、上記課題を解決するために、下記の構成を有する。
【０００８】
（１）ボード部と、該ボード部に回動可能に形成され、ボード部に向かって押圧力を加える押さえ部とを備え、ボード部と、ボード部の一部に形成された貫通部の一辺よりボード部背面側に突出する押さえ部形成部とが樹脂材により一体に成形加工されたベース部材の、前記押さえ部形成部を前記貫通部よりボード部正面側へ押出し変形して前記押さえ部を形成してなるクリップボードであって、前記押さえ部の先端部にボード部側に突出する１又は２以上の突起部を有することを特長とするクリップボード。
【０００９】
（２）前記突起部が略四角形の板状であることを特長とする前記（１）に記載のクリップボード。
【発明の効果】
【００１０】
本発明のクリップボードは、押さえ部先端部にボード部側に突出する突起部を有するため、保持対象を１枚ずつ追加して挟み込んでいく場合でも、すでに挟み込まれていた保持対象が前記突起部に突き当たってそれ以上滑らないため、新しい保持対象を滑らせても、挟み込まれていた保持対象は動かず、確実かつスムーズに新しい保持対象を押さえ部に挟み込むことができ、すでに挟み込まれていた保持対象がずれることもない。
【発明を実施するための最良の形態】
【００１１】
以下に、図面を用いて、本発明の実施形態を更に詳細に説明するが、本発明は下記の実施形態に限定されるものではない。
【００１２】
図１は、本発明の実施形態の一例であるクリップボードの正面図、図２は、図１のクリップボードの背面図である。図１、２のクリップボード１は、ボード部２と押さえ部３とを備える。ボード部２は、図３の側面拡大図に示されるように、その一端部が湾曲部４（図１、２においては斜線部で示される。）を経て、正面側へ傾斜した形状となっている。ボード部２には、貫通部５が形成され貫通部５の一辺から押さえ部３がボード部２の正面側へ延在し、貫通部５を超えてボード部２に押し当たっている。押さえ部の先端部３ａのボード部側（即ち背面側）には、貫通部５に突出する略四角形板状の２個の突起部６、６が形成されている。なお、図１のクリップボード１には、吊り下げ用等に用いるための孔７が形成されている。
【００１３】
図１、２のクリップボードは次のように形成される。まず、一部に貫通部（図１において符号５で示される）が形成されたボード部２と、図４の拡大側面図に示すように、該貫通部の一辺よりボード部背面側に突出する押さえ部形成部３’とを有するベース部材を樹脂材により一体に成形加工して作製する。次に、前記ベース部材の押さえ部形成部３’を貫通部５よりボード部正面側へ押出し変形することにより、図１、２における押さえ部３を形成する。樹脂材の可撓性により押さえ部３はボード部に対して回動可能であり、また、押さえ部３は押出し変形により形成されるため、樹脂材の復元力により、ボード部２に向かって押圧力を有する。
【００１４】
図５は、図１のクリップボードの作用を説明する側面拡大図である。図５に示すように、押さえ部３より上部のボード部端部２ａを背面側に向けて指等で押すと（図５中、矢印Ａで示される。）、樹脂材の可撓性により湾曲部４が背面側に撓み、それに伴って押さえ部３が、貫通部の一辺（図１における符号５ａ、５ａを結ぶ一辺）を中心に正面側へ回動する（図５中、矢印Bで示される。）。その結果、ボード部２に押し付けられていた押さえ部３の先端がボード部から離れ、押さえ部３の先端とボード部２との間に空隙が生じる。該空隙に向けてボード部の下方から紙等の保持対象を差し入れる（図５中、矢印Cで示される。）と、新たに差し入れられる保持対象８ａの動きに伴い、すでに挟まれていた保持対象８ｂにも矢印C方向の力が加わり、保持対象８ｂも矢印Ｃ方向に動こうとするが、押さえ部の先端部３ａに設けられた突起部６に突き当たり、それ以上動くことがない。従って、保持対象８ｂがずれることや、保持対象８ｂのずれにより新たな保持対象８ａの動きが阻害されることもなくて、保持対象８ａを確実かつスムーズに押さえ部３に挟み込むことができる。従来のクリップボードは、突起部がないため、すでに挟まれていた保持対象が新たな保持対象と共に滑ってしまい、スムーズに新たな保持対象を挟みにくい。ボード部端部２ａに加えていた力を除去すると、押さえ部３は逆方向に回動し、元の状態に戻って、新たな保持対象８ａも保持される。
【００１５】
本発明において、突起部の形状は、上記実施形態のような略四角形の板状であるのが、すでに挟まれていた保持対象が滑るのを阻止しやすく好ましいが、これに限定されず、半円形など他の形状の板状、柱状などであっても良い。また、設ける個数も、上記実施形態のような２個、あるいは３個以上、１個であっても良い。図７に、押さえ部の幅と同等の幅を有する長四角形板状の突起部を６’を１個有する実施形態を示す。
【００１６】
本願発明において、突起部のサイズは、突起部の設置位置、押さえ部のサイズ、押さえ部がボード部から回動可能な範囲を考慮して適宜設定できるが、特に押さえ部から突出する長さは保持対象を突起部に突き当てることが可能なように設定することが必要である。即ち、押さえ部を回動させて押さえ部先端がボード部から離れた状態で、突起部先端がボード部の正面側表面、またはその延長面に達する、あるいはボード部の正面側表面、またはその延長面より背面側に達することが好ましいが、突起部先端がボード部の正面側表面、またはその延長面から若干離れていても保持対象のずれを阻止できれば良い。また、突起部先端がボード部の正面側表面より背面側に達する場合は、ボード部の静置を妨げないようにする必要がある。
【００１７】
さらに、突起部の押さえ部に対する角度も、押さえ部を回動させ、押さえ部先端がボード部から離れた状態で、保持対象を突起部に突き当てることが可能であれば特に限定されないが、押さえ部先端がボード部から離れた状態で、突起部と保持対象とが９０度以上の角度をなすようにするのが、効果的である。
【００１８】
本発明のクリップボードは、ボード部と、該ボード部に回動可能に形成され、ボード部に向かって押圧力を加える押さえ部とを備え、押さえ部のボード部側にボード部に向かって突出する突起部を有する構成であり、かつ樹脂材により一体に成形加工されたベース部材を押出し変形して形成する以外の形状、サイズ等の他の構成は、本発明の作用を阻害しない範囲で特に限定されない。本発明のクリップボードは、樹脂材により一体に成形加工されたベース部材を押出し変形して形成するため、突起部形成も容易であり、また、押さえ部が大きくボード部から離れない構成上、突起部を設ける効果が特に有効に発現する。また、金属など他の材料を使用しないので、リサイクル分別もしやすい。樹脂材としては、通常一般にクリップボードに使用される材料を使用できる。
【産業上の利用可能性】
【００１９】
本発明のクリップボードは、紙等の保持対象をスムーズに一枚ずつ押さえ部へ挟み込むことが可能なため、書類、伝票、メモ等の保持対象を挟み込んで保管するクリップボードとして特に好適に使用できる。
【図面の簡単な説明】
【００２０】
【図１】本発明の実施形態の一例であるクリップボードの正面図である。
【図２】図１のクリップボードの背面図である。
【図３】図１のクリップボードの押さえ部付近の側面拡大図である。
【図４】図１のクリップボードの押さえ部形成前の状態を示す側面拡大図である。
【図５】図１のクリップボードの作用を説明する側面拡大図である。
【図６】従来のクリップボードの押さえ部付近の側面拡大図である。
【図７】本発明の実施形態の他の例であるクリップボードの押さえ部付近の背面拡大図である。
【符号の説明】
【００２１】
１  クリップボード
２  ボード部
３  押さえ部
３ａ  押さえ部の先端部
３’  押出し前の押さえ部形成部
４  湾曲部
５  貫通部
６、６’  突起部
７  孔
１２  ボード部
１３  押さえ部
【図１】
2010137479.tif 000003
【図２】
2010137479.tif 000004
【図３】
2010137479.tif 000005
【図４】
2010137479.tif 000006
【図５】
2010137479.tif 000007
【図６】
2010137479.tif 000008
【図７】
2010137479.tif 000009